(57)【要約】【課題】表示ユニットを１８０度回動させた状態で発光ユニットをポップアップさせることができ、ポップアップ量を増加させたストロボユニットを備えた撮像装置を提供する。【解決手段】撮像装置１は、本体部４から突出した発光位置と本体部４に収納された収納位置との間で移動可能に配置された発光ユニット１０と、本体部４の背面と対向する通常位置と、通常位置から略１８０度回動させた起立位置との間で回動に配置された表示ユニット７を備える。発光ユニット１０は、本体部４に対して上側回動軸１６、下側回動軸１７および固定回動軸１８を介して連結され、発光ユニット１０が収納位置にあるときに、固定回動軸１８を上側回動軸１６よりも本体部４の背面側に配置し、下側回動軸１７を上側回動軸１６よりも本体部４の前面側に配置し、表示ユニット７が起立位置にあるときに発光ユニット１０を収納位置と発光位置との間で移動可能とする。【選択図】図４
2018017999.tif 000002
【特許請求の範囲】
【請求項１】
撮像装置の本体部の上面部に設けられ、発光ユニットが前記本体部から突出した発光位置と前記本体部に収納された収納位置との間で移動可能なストロボユニットと、
前記本体部の背面と対向する通常位置と、前記通常位置から略１８０度回動して前記本体部の上面側へ起立した起立位置との間で回動に配置された表示ユニットと、を備える撮像装置であって、
前記ストロボユニットは、
互いに平行に配置される第１の回動軸、第２の回動軸および第３の回動軸と、
前記第１の回動軸を介して前記発光ユニットと回動可能に連結される第１の支持部材と、
前記第２の回動軸を介して前記第１の支持部材と回動可能に連結されると共に前記第３の回動軸を介して前記本体部に対して回動可能に連結される第２の支持部材と、を有し、
前記発光ユニットが前記収納位置にあるときに、前記第３の回動軸は前記第１の回動軸よりも前記本体部の背面側に位置し、前記第２の回動軸は前記第１の回動軸よりも前記本体部の前面側に位置し、
前記表示ユニットが前記起立位置にあるときに、前記発光ユニットを前記収納位置と前記発光位置との間で移動させることが可能であることを特徴とする撮像装置。
【請求項２】
前記第３の回動軸は、前記表示ユニットが前記起立位置にあるときの前記表示ユニットの前面より背面側に配置されていることを特徴とする請求項１に記載の撮像装置。
【請求項３】
前記表示ユニットの回動軸は、前記第３の回動軸の軸方向に前記第３の回動軸と並んで設けられていることを特徴とする請求項１又は２に記載の撮像装置。
【請求項４】
前記第３の回動軸と前記表示ユニットの回動軸とは略同軸に配置されていることを特徴とする請求項３に記載の撮像装置。
【請求項５】
前記第１の回動軸は、前記表示ユニットが前記起立位置にあるときの前記表示ユニットの前面より前記本体部の前面側に配置されていることを特徴とする請求項１乃至４のいずれか１項に記載の撮像装置。
【請求項６】
前記発光ユニットが前記収納位置にあるときに、前記第２の回動軸は前記第３の回動軸よりも前記本体部の底面側に配置されることを特徴とする請求項１乃至５のいずれか１項に記載の撮像装置。
【請求項７】
前記発光ユニットと前記第１の支持部材のなす角度を広げる付勢力を前記発光ユニットと前記第１の支持部材に与える第１の付勢手段と、
前記第１の支持部材と前記第２の支持部材のなす角度を広げる付勢力を前記第１の支持部材と前記第２の支持部材に与える第２の付勢手段と、を更に有し、
前記発光ユニットが前記収納位置にあるときに、前記第２の付勢手段の付勢力は前記第１の付勢手段の付勢力よりも大きいことを特徴とする請求項１乃至６のいずれか１項に記載の撮像装置。
【請求項８】
前記発光ユニットと前記第１の支持部材のなす角度を広げる付勢力を前記発光ユニットと前記第１の支持部材に与える第１の付勢手段と、
前記第１の支持部材と前記第２の支持部材のなす角度を広げる付勢力を前記第１の支持部材と前記第２の支持部材に与える第２の付勢手段と、
前記第２の支持部材を前記第３の回動軸の軸まわりに回動させる付勢力を前記第２の支持部材に与える第３の付勢手段と、を更に有し、
前記発光ユニットが前記発光位置にあるとき、前記第１の付勢手段の付勢力は前記第２の付勢手段の付勢力よりも大きく、前記第３の付勢手段の付勢力は前記第１の付勢手段の付勢力よりも大きいことを特徴とする請求項１乃至６のいずれか１項に記載の撮像装置。
【請求項９】
撮像装置に設けられるストロボユニットであって、
互いに平行に配置される第１の回動軸、第２の回動軸および第３の回動軸と、
前記第１の回動軸を介して互いに回動可能に連結される発光ユニットおよび第１の支持部材と、
前記第２の回動軸を介して前記第１の支持部材と回動可能に連結されると共に前記第３の回動軸を介して前記撮像装置に対して回動可能に連結される第２の支持部材と、
前記発光ユニットと前記第１の支持部材のなす角度を広げる付勢力を前記発光ユニットと前記第１の支持部材に与える第１の付勢手段と、
前記第１の支持部材と前記第２の支持部材のなす角度を広げる付勢力を前記第１の支持部材と前記第２の支持部材に与える第２の付勢手段と、
前記第２の支持部材を前記第３の回動軸の軸まわりに回動させる付勢力を前記第２の支持部材に与える第３の付勢手段と、を有し、
前記発光ユニットが前記撮像装置に収納された収納位置にあるときに、前記第３の回動軸は前記第１の回動軸よりも前記撮像装置の背面側に位置し、前記第２の回動軸は前記第１の回動軸よりも前記撮像装置の前面側に位置し、
前記発光ユニットは、前記発光ユニット、前記第１の支持部材および前記第２の支持部材が、前記第１の付勢手段、前記第２の付勢手段および前記第３の付勢手段の付勢力によって前記第１の回動軸、前記第２の回動軸および前記第３の回動軸を中心として所定の角度で回動することにより、前記撮像装置から突出した発光位置へ前記収納位置から移動することを特徴とするストロボユニット。
【発明の詳細な説明】
【技術分野】
【０００１】
本発明は、収納位置と発光位置との間を移動可能な発光ユニットを有するストロボユニットと、ストロボユニットを備える撮像装置に関する。
【背景技術】
【０００２】
ストロボユニットを内蔵した撮像装置が知られている。ストロボユニットとして、使用時（発光時）には発光部が撮像装置本体から上方に突出した発光位置に保持され、不使用時には発光部を撮像装置本体の内部に収納可能なポップアップ式と呼ばれるストロボユニットが知られている（例えば、特許文献１参照）。ポップアップ式のストロボユニットは、撮影光軸から離れた位置に発光部を移動させて発光させることができる。そのため、撮像装置本体の前面から撮影レンズが大きく突出していても、発光によって生じる撮影レンズの影の撮影範囲内への写り込みを軽減し或いは無くすことができる。
【０００３】
一方で、撮像装置本体の小型化や薄型化が求められている。また、撮影者自身が自らを被写体として撮影する自分撮りのために、撮像装置本体の背面側に設けられる液晶パネル等の表示ユニットを１８０度回動可能とし、表示部に表示される被写体像を撮影者自身が確認することができる機能も求められている。
【先行技術文献】
【特許文献】
【０００４】
【特許文献１】特許第５０７８９６７号公報
【発明の概要】
【発明が解決しようとする課題】
【０００５】
従来のポップアップ式ストロボユニットでは、表示ユニットを１８０度回動させて表示部を撮影方向に向けた状態で発光部をポップアップさせようとすると、発光部の上面が表示ユニットに衝突してしまい、発光部をポップアップさせることができない。この場合、ユーザは、表示ユニットを撮像装置の背面側に戻し、発光部をポップアップさせた後に再度、表示部が撮影方向に向くように表示ユニットを回動させる必要があり、操作性（使い勝手）がよくない。また、撮像装置本体のサイズには、小型化や薄型化の要求を満たすために制限がある一方で、発光時に撮影レンズの影が撮影範囲に写り込むのを抑制するためには、ポップアップ量を大きくする必要がある。
【０００６】
本発明は、撮像装置本体の背面側に表示ユニットが回動可能に配置された撮像装置において、表示部を撮影方向に向けた状態でも発光部をポップアップさせることができるストロボユニットを備えた撮像装置を提供することを目的とする。また、本発明は、ポップアップ量を増加させたストロボユニットを備えた撮像装置を提供することを目的とする。
【課題を解決するための手段】
【０００７】
本発明に係る撮像装置は、撮像装置の本体部の上面部に設けられ、発光ユニットが前記本体部から突出した発光位置と前記本体部に収納された収納位置との間で移動可能なストロボユニットと、前記本体部の背面と対向する通常位置と、前記通常位置から略１８０度回動して前記本体部の上面側へ起立した起立位置との間で回動に配置された表示ユニットと、を備える撮像装置であって、前記ストロボユニットは、互いに平行に配置される第１の回動軸、第２の回動軸および第３の回動軸と、前記第１の回動軸を介して前記発光ユニットと回動可能に連結される第１の支持部材と、前記第２の回動軸を介して前記第１の支持部材と回動可能に連結されると共に前記第３の回動軸を介して前記本体部に対して回動可能に連結される第２の支持部材と、を有し、前記発光ユニットが前記収納位置にあるときに、前記第３の回動軸は前記第１の回動軸よりも前記本体部の背面側に位置し、前記第２の回動軸は前記第１の回動軸よりも前記本体部の前面側に位置し、前記表示ユニットが前記起立位置にあるときに、前記発光ユニットを前記収納位置と前記発光位置との間で移動させることが可能であることを特徴とする。
【発明の効果】
【０００８】
本発明によれば、表示ユニットの表示部が撮影方向を向いた状態でポップアップ可能な発光ユニットを有するストロボユニットを備えた撮像装置を実現することができ、また、発光ユニットのポップアップ量を増加させることができる。
【図面の簡単な説明】
【０００９】
【図１】本発明の実施形態に係る撮像装置の正面斜視図である。
【図２】撮像装置の正面斜視図および背面斜視図である。
【図３】撮像装置が備える発光ユニットの分解斜視図である。
【図４】発光ユニットが収納位置にあるときの発光ユニットの断面図である。
【図５】発光ユニットが発光位置にあるときの発光ユニットの断面図である。
【発明を実施するための形態】
【００１０】
以下に、本発明の実施形態について、添付図面を参照して詳細に説明する。図１は、本発明の実施形態に係る撮像装置１の概略構成を示す正面斜視図である。説明の便宜上、図１に示すように、互いに直交するＸ軸、Ｙ軸およびＺ軸を定義する。Ｘ軸方向は撮像装置１の前後方向であり、Ｙ軸方向は撮像装置１の幅方向である。Ｚ軸方向は撮像装置１の高さ方向である。
【００１１】
撮像装置１は、外装カバーに覆われた本体部４を有する。本体部４の前面（正面）には、撮像光学系を構成するレンズ群２が配置されている。レンズ群２を含む撮像光学系の光軸方向は、Ｘ軸方向と平行となっている。本体部４の内部にはＣＭＯＳセンサ或いはＣＣＤセンサ等の不図示の撮像素子が配置されており、撮像光学系を通過した光束は撮像素子に結像する。撮像素子は、光電変換により光学像を電気信号へ変換し、本体部４に設けられた不図示の画像処理回路が、撮像素子から出力される電気信号を画像データに変換して、生成した画像データを不図示の記憶手段に記憶する。また、本体部４の内部には、撮像装置１の動作を制御するための制御基板等が配置されている。本体部４の上面部には、シャッタボタン３と電源ボタン６が配置されている。
【００１２】
また、本体部４の上面部には、発光ユニット１０が設けられている。図１には、発光ユニット１０を発光位置へポップアップさせた状態が示されている。発光ユニット１０は、発光部１１と、発光部１１の上面側を覆う上面カバー１２と、発光部１１の下面側を覆うおよび下面カバー１３とを有する。本体部４の側面には、発光部１１をポップアップさせるための操作レバー５が設けられている。操作レバー５の操作により、発光ユニット１０を本体部４の上面よりポップアップ（突出）させて、発光位置へ移動させることができる。なお、発光ユニット１０が本体部４に収納される位置である収納位置にあるときには（図２参照）、発光ユニット１０の上面カバー１２が本体部４の上面を構成している。発光ユニット１０の構成の詳細については後述する。
【００１３】
本体部４の背面側には、表示ユニット７が回動自在に取り付けられている。図１に示されるように表示ユニット７が本体部４の背面と対向する位置（以下「通常位置」という）にあるときには、表示ユニット７の表示部７ａ（図１に不図示、図２参照）は、撮像装置１の背面方向（撮影方向の反対方向）を向いている。
【００１４】
図２（ａ）は、表示ユニット７の表示部７ａが撮影方向を向いており、且つ、発光ユニット１０が収納位置にあるときの撮像装置１の正面斜視図である。図２（ｂ）は、図２（ａ）の状態に対応する背面斜視図である。表示ユニット７は、表示部７ａが筐体カバーで保護された構造を有する。表示部７ａは、例えば、液晶パネルである。表示部７ａには、撮影中の被写体等の画像情報が表示される。表示ユニット７の回動軸７ｂの軸方向はＹ軸方向と略平行となっており、表示ユニット７は回動軸７ｂの軸まわりに略１８０度回動可能となっている。以下、表示ユニット７が本体部４の上面側へ起立し、表示部７ａが撮影方向を向いた状態となっているときの表示ユニット７の位置を「起立位置」と称呼する。つまり、表示ユニット７は、通常位置と起立位置との間で遷移可能となっている。
【００１５】
図３は、発光ユニット１０を有するストロボユニットの分解斜視図である。図４は、発光ユニット１０が本体部４の内部に収納された収納位置にあるときのストロボユニットおよびその近傍の断面図である。図５は発光ユニット１０が本体部４からポップアップした位置である発光位置にあるときのストロボユニットおよびその近傍の断面図である。
【００１６】
発光ユニット１０を構成する発光部１１は、キセノン管１１ａ、フレネルレンズ１１ｂおよびリフレクタ１１ｃを有する。キセノン管１１ａは、キセノンガスを封入したガラス管の両側に電極が配置された放電管である。フレネルレンズ１１ｂは、キセノン管１１ａの放電光を撮像装置１の撮影画角内に集光させるために、キセノン管１１ａの前方に配置されている。リフレクタ１１ｃは、キセノン管１１ａの放電光を被写体側に反射させて効率的に撮影画角内を照らす役割を担う部品であり、キセノン管１１ａに接触させて組込まれている。なお、リフレクタ１１ｃは、キセノン管１１ａでの放電を開始するためのトリガ電極としての役割を兼ねている。つまり、リフレクタ１１ｃは不図示のトリガコイルに接続されており、キセノン管１１ａの両極に電圧が印加されると、トリガコイルに高電圧が印加されてキセノン管１１ａの内部のキセノンガスがイオン化し、発光する仕組みとなっている。
【００１７】
ストロボユニットは、上側アーム部材１４（第１の支持部材）、下側アーム部材１５（第２の支持部材）、上側回動軸１６（第１の回動軸）、下側回動軸１７（第２の回動軸）、固定回動軸１８（第３の回動軸）およびトーションばね１９，２０，２１を備える。また、ストロボユニットは、フレキシブル基板２２、ストロボ回路基板２３、コネクタ２４、上側アームカバー２５、下側アームカバー２６、ロック部材２７、ロック回動軸２８、トーションばね２９、基台３０およびコイルばね３１を備える。
【００１８】
上側アーム部材１４と下側アーム部材１５は、本体部４に固定される基台３０と発光ユニット１０とを連結させる部材である。具体的には、発光ユニット１０を構成する下面カバー１３には軸受け部１３ａが設けられており、上側アーム部材１４には第１軸受け部１４ａが設けられている。上側回動軸１６は、下面カバー１３の軸受け部１３ａと上側アーム部材１４の第１軸受け部１４ａに挿入されており、下面カバー１３と上側アーム部材１４は上側回動軸１６を介して移動可能に連結される。上側アーム部材１４には第２軸受け部１４ｂが設けられており、下側アーム部材１５には第１軸受け部１５ａが設けられている。下側回動軸１７は、上側アーム部材１４の第２軸受け部１４ｂと下側アーム部材１５の第１軸受け部１５ａに挿入されており、上側アーム部材１４と下側アーム部材１５は、下側回動軸１７を介して回動可能に連結される。基台３０は、ストロボユニットの土台（基礎）となる部品であり、本体部４に取り付けられる。基台３０には軸受け部３０ａが設けられており、下側アーム部材１５には第２軸受け部１５ｂが設けられている。固定回動軸１８は、基台３０の軸受け部３０ａと下側アーム部材１５に設けられた第２軸受け部１５ｂに挿入されており、下側アーム部材１５は固定回動軸１８を介して基台３０に対して回動可能となっている。
【００１９】
上側回動軸１６、下側回動軸１７および固定回動軸１８はそれぞれ、トーションばね１９，２０，２１のコイル部を貫通した状態で、上述の通りに所定の軸受け部に挿入されている。そのため、上側回動軸１６、下側回動軸１７および固定回動軸１８は、Ｙ軸と略平行に配置される。ここで、フレネルレンズ１１ｂの外観露出部の中心と上側回動軸１６とを結ぶ一点鎖線Ｌ１と、上側回動軸１６と下側回動軸１７とを結ぶ一点鎖線Ｌ２と、下側回動軸１７と固定回動軸１８とを結ぶ一点鎖線Ｌ３を規定する。トーションばね１９の長さ方向（Ｙ軸方向）の一端は下面カバー１３に当接し、他端は上側アーム部材１４に当接している。したがって、下面カバー１３と上側アーム部材１４は、これらの部品のなす角度が広がる方向にトーションばね１９により付勢されている。つまり、下面カバー１３と上側アーム部材１４は、図４において、一点鎖線Ｌ１と一点鎖線Ｌ２とがなす角度が広がる方向にトーションばね１９（第１の付勢手段）によって付勢されている。上側アーム部材１４と下側アーム部材１５は下側回動軸１７によって回動自在に連結されており、下側アーム部材１５は基台３０に対して固定回動軸１８によって回動自在に取り付けられている。したがって、上側アーム部材１４と下側アーム部材１５は、図４において、一点鎖線Ｌ３と一点鎖線Ｌ２とがなす角度が広がる方向にトーションばね２０（第２の付勢手段）によって付勢されている。また、下側アーム部材１５は、図４において、固定回動軸１８を中心として一点鎖線Ｌ３を図４の紙面上で時計まわりへ回動させる方向へトーションばね２１（第３の付勢手段）によって付勢されている。
【００２０】
ロック部材２７は、発光ユニット１０を収納位置に保持する役割を担う部品である。ロック部材２７の左右端（Ｙ軸方向端）にはフック部２７ａが設けられている。フック部２７ａは、発光ユニット１０が収納位置にあるときには、下面カバー１３に設けられたフック受け部１３ｂと係合する。ロック部材２７に挿入されたロック回動軸２８はトーションばね２９のコイル部に挿入されており、トーションばね２９は、ロック部材２７に設けられたフック部２７ａを下面カバー１３のフック受け部１３ｂに係合する方向に付勢している。ロック回動軸２８は、基台３０に取り付けられ、これによりロック部材２７はロック回動軸２８まわりに回動可能な状態で基台３０に取り付けられる。
【００２１】
フレキシブル基板２２は、発光部１１が有するトリガコイルやキセノン管１１ａの両極等と電気的に接続される配線を有しており、一端が発光部１１に接続されると共に、他端はストロボ回路基板２３に実装されたコネクタ２４に接続されている。ストロボ回路基板２３にはキセノン管１１ａを閃光発光させるための昇圧部品等が実装されており、コネクタ２４およびフレキシブル基板２２を介して、発光部１１とストロボ回路基板２３とが電気的に結線されている。なお、ストロボ回路基板２３は、不図示のフレキシブル基板と結線され、撮影やストロボ発光等の制御を行うために本体部４に設けられた制御回路（不図示）にも結線されている。上側アームカバー２５および下側アームカバー２６はそれぞれ、フレキシブル基板２２を保護するために、上側アーム部材１４および下側アーム部材１５に対向配置されており、これによりフレキシブル基板２２を配置するための通路の一部が形成されている。
【００２２】
図４を参照して、フレキシブル基板２２の組み込み経路について説明する。発光部１１に接続されたフレキシブル基板２２は、上側回動軸１６に取り付けられたトーションばね１９の外側を通り、上側アーム部材１４と上側アームカバー２５の間を通って、下側回動軸１７に取り付けられたトーションばね２０の外側を通る。続いて、フレキシブル基板２２は、下側アーム部材１５と下側アームカバー２６の間を通り、ロック回動軸２８とロック部材２７の外側を通り、基台３０に設けられたスリット部を通って、ストロボ回路基板２３に実装されたコネクタ２４へ接続されている。
【００２３】
基台３０に配置されたコイルばね３１は、操作レバー５を撮像装置１の背面側へ向けて付勢している。操作レバー５は、基台３０に撮像装置１の前後方向（Ｘ軸方向）にスライド自在に取り付けられており、操作レバー５が撮像装置１の背面側に付勢された状態では、発光ユニット１０を収納位置でロック部材２７によるロックがかかっている。操作レバー５を撮像装置１の前面側にスライドさせると、操作レバー５の一部がロック部材２７ｂに当接し、ロック部材２７が回動することで、ロック部材２７のフック部２７ａと下面カバー１３のフック受け部１３ｂとの係合が外れる。こうしてロック部材２７によるロックが解除されると、トーションばね２１のばね力により、下側アーム部材１５は矢印Ｃ１方向に回動する。また、トーションばね２０のばね力により、上側アーム部材１４は矢印Ｃ２方向に回動する。そして、トーションばね１９のばね力により、発光ユニット１０は矢印Ｃ３方向にそれぞれ、所定の角度まで回動する。こうして、ロック部材２７によるロックが解除されると、図５に示すように、発光ユニット１０はトーションばね１９，２０，２１の付勢力によって発光位置へポップアップする。
【００２４】
発光ユニット１０を発光位置で保持するために、各軸受け部の近傍には回動角度を規制するためのストッパが設けられている。具体的には、下側アーム部材１５には、凸部１５ｂ１が第２軸受け部１５ｂの近傍に設けられ、上側アーム部材１４には、凸部１４ｂ１が第２軸受け部１４ｂの近傍に設けられ、下側アームカバー２６にはストッパ２６ａが設けられている。下側アーム部材１５は、凸部１５ｂ１が基台３０のストッパ受け部（不図示）に当接することで、所定の角度で停止する。また、上側アーム部材１４の回動は、上側アーム部材１４の凸部１４ｂ１が下側アームカバー２６のストッパ２６ａと当接することによって停止する。下側アームカバー２６は下側アーム部材１５に位置決めされて固定されているため、上側アーム部材１４と下側アーム部材１５は、所定の開き角度で停止することができる。同様に、上側アーム部材１４の第１軸受け部１４ａ近傍に設けられた凸部（不図示）と発光ユニット１０の下面カバー１３に設けられた当接部（不図示）とが当接して、発光ユニット１０と上側アーム部材１４とは、所定の開き角度で停止する。上記の結果、発光部１１を発光位置で保持することができる。
【００２５】
次に、表示ユニット７の回動動作と発光ユニット１０のポップアップ動作との関係について説明する。図４には、発光ユニット１０が収納位置にあり、表示ユニット７が最大移動位置にあるときの構造が示されている。図４に示す破線７ｃは、表示ユニット７の通常位置を示している。二点鎖線７ａ１は、表示ユニット７が起立位置にあるときの表示ユニット７の前面の位置を示している。
【００２６】
固定回動軸１８は、表示ユニット７が起立位置にあるときの表示ユニット７の前面の位置（二点鎖線７ａ１）よりも背面側となる位置において本体部４に設けられている。つまり、固定回動軸１８を撮像装置１の最背面近傍に配置することで、本体部４のＸ軸方向（撮像装置１の前後方向）の長さを有効に利用する下側アーム部材１５を用いることができる。これにより、一点鎖線Ｌ３の長さを長く取って、発光ユニット１０のポップアップ量を増加させることができる。また、発光ユニット１０が収納位置にあるときに、上側回動軸１６は、表示ユニット７が起立位置にあるときの表示ユニット７の前面の位置（二点鎖線７ａ１）より本体部４の前面側に配置される。これにより、表示ユニット７に遮られることなく、発光ユニット１０をポップアップさせることができる。撮像装置１では、一点鎖線Ｌ３をできるだけ長くするために、撮像装置１の最背部を形成する本体部４の内壁と下側アーム部材１５とが近付けて配置されている。また、発光ユニット１０が収納位置にあるときに、下側回動軸１７は、上側回動軸１６よりも前面側に配置されると共に、固定回動軸１８よりも下側（本体部の底面側）に配置される。
【００２７】
撮像装置１では、固定回動軸１８と表示ユニット７の回動軸７ｂは、Ｙ軸方向（図４の紙面と直交する方向）に並んで配置され、且つ、Ｙ軸と平行な略同軸上に配置されている。これにより、部品配置効率を高めて、撮像装置１全体の小型化を図ることができると共に、発光ユニット１０のポップアップ量を増加させることができ、更に表示ユニット７が起立位置にあるときでも、発光ユニット１０をポップアップさせることができる。
【００２８】
ところで、上面カバー１２の後端の位置は、表示ユニット７が起立位置にあるときに発光ユニット１０をポップアップさせることができるように設計されている。これに加えて、表示ユニット７が起立位置にあるときに発光ユニット１０をポップアップさせた際に、上面カバー１２が表示ユニット７の表示部７ａに衝突することを回避する必要がある。これは、表示部７ａの損傷を防止するためである。上面カバー１２の表示部７ａへの衝突回避は、発光ユニット１０が収納状置にあるときのトーションばね１９，２０の付勢力のバランスを調整することによって実現することができる。具体的には、発光ユニット１０が収納位置にあるときに、トーションばね１９が一点鎖線Ｌ１と一点鎖線Ｌ２とがなす角度が広がる方向に下面カバー１３と上側アーム部材１４に与える付勢力の大きさをＦａ１９とする。また、発光ユニット１０が収納位置にあるときに、トーションばね２０が一点鎖線Ｌ２と一点鎖線Ｌ３とがなす角度が広がる方向に上側アーム部材１４と下側アーム部材１５に与える付勢力をＦａ２０とする。この場合に、“Ｆａ１９＜Ｆａ２０”の関係が成り立つようにする。これにより、表示ユニット７が起立位置にある状態で発光ユニット１０をポップアップさせても、上面カバー１２が表示部７ａに衝突することはない。
【００２９】
発光ユニット１０が収納位置にあるときには、図４に示すように、下側回動軸１７のＺ軸方向（撮像装置１の高さ方向）での位置は、固定回動軸１８よりも下側（撮像装置１の底面側）にあることが望ましい。その場合、発光ユニット１０のポップアップ開始時に、下側回動軸１７が固定回動軸１８の水平位置と平行になるまでは、下側回動軸１７は表示部７ａから離れる方向に移動し、それまでの間に、上側アーム部材１４が矢印Ｃ２方向に移動する。これにより、上面カバー１２は表示部７ａから離間することができるため、表示部７ａへの衝突を回避することができる。
【００３０】
発光位置にある発光ユニット１０の上面カバー１２の先端１２ａを固定回動軸１８の方向に向かって押し込むことによって、発光ユニット１０を収納位置に移動させることができる。その際の操作性は、トーションばね１９，２０，２１の付勢力の強さのバランスの影響を受ける。発光ユニット１０が発光位置にあるときに、トーションばね１９が一点鎖線Ｌ１と一点鎖線Ｌ２とがなす角度が広がる方向に下面カバー１３と上側アーム部材１４に与える付勢力の大きさをＦｂ１９とする。発光ユニット１０が発光位置にあるときに、トーションばね２０が一点鎖線Ｌ２と一点鎖線Ｌ３とがなす角度が広がる方向に上側アーム部材１４と下側アーム部材１５に与える付勢力をＦｂ２０とする。発光ユニット１０が発光位置にあるときに、固定回動軸１８を中心として下側アーム部材１５を回動させるように下側アーム部材１５に与える付勢力をＦｂ２１とする。この場合に、“Ｆｂ２０＜Ｆｂ１９＜Ｆｂ２１”の関係が成り立つようにする。これにより、発光ユニット１０の収納時の動作は、まず、上側アーム部材１４が下側回動軸１７を中心に矢印Ｃ２方向とは逆の方向に動き出し、次に、発光ユニット１０が上側回動軸１６を中心に矢印Ｃ３方向とは逆の方向に動き出する。最後に、下側アーム部材１５が固定回動軸１８を中心に矢印Ｃ１とは逆の方向に動き出す。これにより、発光位置にある発光ユニット１０をスムーズに収納位置に移動させることができる。
【００３１】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００３２】
１    撮像装置
７    表示ユニット
７ａ    表示部
１０    発光ユニット
１１    発光部
１２    上面カバー
１３    下面カバー
１４    上側アーム部材
１５    下側アーム部材
１６    上側回動軸
１７    下側回動軸
１８    固定回動軸
１９，２０，２１    トーションばね
２７    ロック部材
３０    基台
【図１】
2018017999.tif 000003
【図２】
2018017999.tif 000004
【図３】
2018017999.tif 000005
【図４】
2018017999.tif 000006
【図５】
2018017999.tif 000007